(57)【要約】【課題】外装材が取り付けられた一方の壁パネルに他方の壁パネルを直角に接合する際に、一方の壁パネルに外装材の未艤装領域を無くし、現場での外装材取付け作業を省略できる壁パネルの接合構造および接合方法を提供する。【解決手段】一方の壁パネル２に、他方の壁パネル２を接合すべき部分に受部材３が一方の壁パネル２に取り付けられた外装材４より外側に突出させて固定されており、この受部材３の先端部に前記他方の壁パネル２が接合されている。したがって、一方の壁パネル１に外装材の未艤装領域を無くし、現場での外装材取付け作業を省略できる。【選択図】図４
2009030238.tif 000002
【特許請求の範囲】
【請求項１】
一方の壁パネルに他方の壁パネルを直角に接合してなる壁パネルの接合構造において、
前記一方の壁パネルには、前記他方の壁パネルを接合すべき部分に受部材が前記一方の壁パネルに取り付けられた外装材より外側に突出させて固定されており、
この受部材の先端部に前記他方の壁パネルが接合されていることを特徴とする壁パネルの接合構造。
【請求項２】
請求項１に記載の壁パネルの接合構造において、
前記一方の壁パネルには、前記受部材の周囲に止水プレートが固定されており、
この止水プレートの一部は前記受部材と前記外装材との間の隙間から外側に延出してプレート延出部とされ、このプレート延出部が前記他方の壁パネルの表面に密着されていることを特徴とする壁パネルの接合構造。
【請求項３】
請求項２に記載の壁パネルの接合構造において、
前記一方の壁パネルの表面には防水透湿シートが設けられており、
この防水透湿シートの一部は前記止水プレートの内面に沿い前記プレート延出部より外側に延出してシート延出部とされ、このシート延出部が前記他方の壁パネルの表面に張り付けられた防水透湿シートに重ね合わされていることを特徴とする壁パネルの接合構造。
【請求項４】
一方の壁パネルに他方の壁パネルを直角に接合する壁パネルの接合方法において、
前記一方の壁パネルに、外装材を予め取り付けるとともに、受部材を前記外装材より外側に突出させて固定しておき、
前記外装材および受部材が取り付けられた一方の壁パネルを建て込んだ後、前記他方の壁パネルを建て込むとともに前記受部材に接合することを特徴とする壁パネルの接合方法。
【請求項５】
請求項４に記載の壁パネルの接合方法において、
前記一方の壁パネルには、前記受部材の周囲に止水プレートが固定されており、
この止水プレートの一部は前記受部材と前記外装材との間の隙間から外側に延出してプレート延出部とされており、
前記一方の壁パネルを建て込んだ後、前記他方の壁パネルを建て込むとともに前記受部材に接合し、さらに前記プレート延出部を前記他方の壁パネルの表面に密着することを特徴とする壁パネルの接合方法。
【請求項６】
請求項５に記載の壁パネルの接合方法において、
前記一方の壁パネルの表面には防水透湿シートが設けられており、この防水透湿シートの一部は前記止水プレートの内面に沿い前記プレート延出部より外側に延出してシート延出部とされており、
前記一方の壁パネルを建て込んだ後、前記他方の壁パネルを建て込むとともに前記受部材に接合し、
次に、前記プレート延出部を前記他方の壁パネルの表面に密着し、さらに、前記シート延出部を、前記他方の壁パネルの表面に張り付けられた防水透湿シートに重ね合わせることを特徴とする壁パネルの接合方法。
【発明の詳細な説明】
【技術分野】
【０００１】
本発明は、一方の壁パネルに他方の壁パネルを直角に接合してなる壁パネルの接合構造および接合方法に関する。
【背景技術】
【０００２】
住宅の工業化に伴って、住宅の屋根や壁や床を予めパネルとして工場で製造し、このようなパネルを、建築現場において組み立てて行くことにより、住宅の施工を行うようにしたパネル工法が近年盛んとなっている。そして、工業化をさらに進めるために、壁パネルの表面に工場等において予め外装材を取り付けておき、この外装材が取り付けられた外装材艤装壁パネルを建築現場で組み立てることにより、現場工期をより一層短縮する技術も行われている。
【特許文献１】特開２００１−１５２５６６号公報
【発明の開示】
【発明が解決しようとする課題】
【０００３】
ところで、外装材が取り付けられた艤装壁パネルで構築された外壁に、例えばバルコニー用の手摺壁を構成する壁パネルを直角に接合する場合、外装材に直接壁パネルを接合するのではなくて、外装材の内側にある木質の壁パネルに接合するようにしている。
したがって、このような壁パネルを取り付けるべき外装材艤装壁パネルでは、壁パネルを接合すべき部分において、外装材を取り付けていない未艤装領域を設けておき、現場でこの未艤装領域に露出する壁パネルに、壁パネルを直角に接合し、その後、前記未艤装領域に現場で外装材を取り付けるようにしている。
したがって、壁パネルを直角に接合する外装材艤装壁パネルでは、未艤装領域を設けておく必要があるため、外装材の艤装率が低下してしまい、現場での外装材取付け作業を要していた。
【０００４】
本発明は上記事情に鑑みてなされたもので、外装材が取り付けられた一方の壁パネルに他方の壁パネルを直角に接合する際に、一方の壁パネルに外装材の未艤装領域を無くし、現場での外装材取付け作業を省略できる壁パネルの接合構造および接合方法を提供することを課題としている。
【課題を解決するための手段】
【０００５】
上記課題を解決するために、請求項１に記載の発明は、例えば図１〜図５に示すように、一方の壁パネル１に他方の壁パネル２を直角に接合してなる壁パネルの接合構造において、
前記一方の壁パネル２には、前記他方の壁パネル２を接合すべき部分に受部材３が前記一方の壁パネル２に取り付けられた外装材４より外側に突出させて固定されており、
この受部材３の先端部に前記他方の壁パネル２が接合されていることを特徴とする。
【０００６】
また、請求項４に記載の発明は、一方の壁パネル１に他方の壁パネル２を直角に接合する壁パネルの接合方法において、
前記一方の壁パネル１に、外装材４を予め取り付けるとともに、受部材３を前記外装材４より外側に突出させて固定しておき、
前記外装材４および受部材３が取り付けられた一方の壁パネル１を建て込んだ後、前記他方の壁パネル２を建て込むとともに前記受部材３に接合することを特徴とする。
【０００７】
請求項１および４に記載の発明によれば、一方の壁パネル１に、他方の壁パネル２を接合すべき部分に受部材３が前記一方の壁パネル１に取り付けられた外装材４より外側に突出させて固定され、この受部材３の先端部に前記他方の壁パネル２が接合されるので、一方の壁パネル１に未艤装領域を設けなくても、他方の壁パネル２を一方の壁パネル１に受部材３を介して容易に接合できる。
したがって、一方の壁パネル１に外装材の未艤装領域を無くし、現場での外装材取付け作業を省略できる。
また、前記受部材３が他方の壁パネル２を一方の壁パネル１に接合する際の位置決め部材としても機能するので、他方の壁パネル２の接合の際の位置決めを容易に行える。
【０００８】
請求項２に記載の発明は、請求項１に記載の壁パネルの接合構造において、
前記一方の壁パネル１には、前記受部材３の周囲に止水プレート６が固定されており、
この止水プレート６の一部は前記受部材３と前記外装材４との間の隙間Ｓから外側に延出してプレート延出部６ａとされ、このプレート延出部６ａが前記他方の壁パネル２の表面に密着されていることを特徴とする。
【０００９】
請求項５に記載の発明は、請求項４に記載の壁パネルの接合方法において、
前記一方の壁パネル１には、前記受部材３の周囲に止水プレート６が固定されており、
この止水プレート６の一部は前記受部材３と前記外装材４との間の隙間Ｓから外側に延出してプレート延出部６ａとされており、
前記一方の壁パネル１を建て込んだ後、前記他方の壁パネル２を建て込むとともに前記受部材３に接合し、さらに前記プレート延出部６ａを前記他方の壁パネル２の表面に密着することを特徴とする。
【００１０】
請求項２および５に記載の発明によれば、止水プレート６の一部が受部材３と外装材４との間の隙間Ｓから外側に延出してプレート延出部６ａとされ、このプレート延出部６ａが他方の壁パネル２の表面に密着されるので、受部材３と他方の壁パネル２との接合部における防水処理を容易に行える。また、止水プレート６は一方の壁パネル１に予め固定されており、プレート延出部６ａが外側に延出しているので、別途止水プレートを容易しなくても防水処理を行える。
【００１１】
請求項３に記載の発明は、請求項２に記載の壁パネルの接合構造において、
前記一方の壁パネル１の表面には防水透湿シート８が設けられており、
この防水透湿シート８の一部は前記止水プレート６の内面に沿い前記プレート延出部６ａより外側に延出してシート延出部８ａとされ、このシート延出部８ａが前記他方の壁パネル２の表面に張り付けられた防水透湿シート１２に重ね合わされていることを特徴とする。
【００１２】
請求項６に記載の発明は、請求項５に記載の壁パネルの接合方法において、
前記一方の壁パネル１の表面には防水透湿シート８が設けられており、この防水透湿シート８の一部は前記止水プレート６の内面に沿い前記プレート延出部６ａより外側に延出してシート延出部８ａとされており、
前記一方の壁パネ１ルを建て込んだ後、前記他方の壁パネル２を建て込むとともに前記受部材３に接合し、
次に、前記プレート延出部６ａを前記他方の壁パネル２の表面に密着し、さらに、前記シート延出部８ａを、前記他方の壁パネル２の表面に張り付けられた防水透湿シート１２に重ね合わせることを特徴とする。
【００１３】
請求項３および５に記載の発明によれば、一方の壁パネル１から延出するシート延出部８ａを、前記他方の壁パネル２の表面に張り付けられた防水透湿シート１２に重ね合わせるので、防水透湿シート８，１２が一方の壁パネル１の表面から他方の壁パネル２の表面まで連続することになり、壁パネル１，２どうしの接合部近傍の防水性、透湿性を確保できる。
【発明の効果】
【００１４】
本発明によれば、一方の壁パネルに、他方の壁パネルを接合すべき部分に受部材が前記一方の壁パネルに取り付けられた外装材より外側に突出させて固定され、この受部材の先端部に前記他方の壁パネルが接合されるので、一方の壁パネルに未艤装領域を設けなくても、他方の壁パネルを一方の壁パネルに受部材を介して容易に接合できる。
したがって、一方の壁パネルに外装材の未艤装領域を無くし、現場での外装材取付け作業を省略できる。
また、受部材が他方の壁パネルを一方の壁パネルに接合する際の位置決め部材としても機能するので、他方の壁パネルの接合の際の位置決めを容易に行える。
【発明を実施するための最良の形態】
【００１５】
以下図面を参照して本発明の実施の形態について説明する。
図１〜図４は本発明に係る壁パネルの接合方法を説明するための平断面図である。
まず、図４を参照して本発明に係る壁パネルの接合構造について説明する。
【００１６】
図４において、符号１，１は一方の壁パネル、符号２は壁パネル１，１に直角に接合される他方の壁パネルを示す。
壁パネル１は、框材１ａを矩形枠状に組み立ててなる矩形枠の内部に補強桟材（図示略）を縦横に組み付け、さらに矩形枠の表裏両面に合板等からなる面材１ｂ，１ｂを貼付して形成されたものであり、壁パネル１，１の接合部分においては框材１ａ，１ａの内側に当接して調整材１ｃ，１ｃが設けられている。
壁パネル１，１どうしは予め工場等において接合されており、その接合部における表面に受部材３が固定されている。つまり、一方の壁パネル１，１には、他方の壁パネル２を接合すべき部分に受部材３が外装材４より外側に突出して固定されている。
【００１７】
受部材３は木製の角材で形成されたものであり、接合すべき他方の壁パネル２の上下方向の高さと同じ長さを有している。また、受部材３の幅は、他方の壁パネルの厚さと等しくなっている。なお、受部材３を壁パネル１，１の表面に固定するために、前記調整材１ｃ，１ｃが壁パネル１，１に設けられている。そして、受部材３はその裏面を面材１ｂ，１ｂに接着剤によって貼着するとともに、図示しないスクリュー釘を受部材３から框材１ａ、調整材１ｃに打ち込むことによって、壁パネル１，１の表面に強固に固定されている。
前記外装材４は壁パネル１の表面に胴縁５を介して取り付けられており、これによって、外装材４と壁パネル１との間に通気空間が形成されている。外装材４，４は図５に示すように互いに接合されているが、他方の壁パネル２を接合すべき部位には矩形状の切欠部が形成されおり、この切欠部から前記受部材３が外側に突出している。
【００１８】
また、一方の壁パネル１の表面には受部材３の周囲に止水プレート６，６が固定されている。この止水プレート６は平断面Ｌ字状に形成された薄いプレート状のものであり、例えば樹脂や金属の薄板によって形成されている。そして、止水プレート６の一片部が壁パネル１の表面に固定され、他片部（一部）は受部材３と外装材４との間の隙間Ｓから外側に延出してプレート延出部６ａとされている。このプレート延出部６ａは受部材３より前方（外側）に突出している。
さらに、一方の壁パネル１の表面には防水透湿シート８が貼り付けられており、この防水透湿シート８の一部は止水プレート６の内面に沿いプレート延出部６ａより外側に延出してシート延出部８ａとされている。
【００１９】
上記のような一方の壁パネル１，１、受部材３、外装材４，４、胴縁５、止水プレート６、防水透湿シート８は全て予め工場で組み立てられたうえで、現場に搬送されて、現場で壁パネル１，１が建て込まれる。なお、この壁パネル１，１は例えばバルコニーの手摺壁が接合される外壁を構成する。
【００２０】
前記受部材３の先端部には他方の壁パネル２が接合されている。壁パネル２は、壁パネル１と同様に、框材２ａを矩形枠状に組み立ててなる矩形枠の内部に補強桟材（図示略）を縦横に組み付け、さらに矩形枠の表裏両面に合板等からなる面材２ｂ，２ｂを貼付して形成されたものである。
そして、壁パネル２の框材２ａと面材２ｂ，２ｂの側端面とを受部材３の表面に当接するとともに接着剤で接着したうえで、面材２ｂ，２ｂの表面から框材２ａを通して受部材３に釘９，９を斜めに打ち込むことによって、受部材３の先端部に他方の壁パネル２が接合されている。なお、この壁パネル２はバルコニーの手摺壁を構成する。
【００２１】
また、壁パネル２の表面には、前記プレート延出部６ａがシート延出部８ａを挟んで密着されており、このシート延出部８ａは他方の壁パネル２の表面に張り付けられた防水透湿シート１２に重ね合わされている。また、プレート延出部６ａの先端部と防水透湿シート１２の先端部とは防水接着テープ１３によって接着されている。このようにして、受部材３と壁パネル２との接合部における防水処理が行われている。
【００２２】
なお、壁パネル２は、壁パネル１とは異なり、予め外装材１０等は取り付けられていない。したがって、壁パネル２の表面には、現場で外装材１０が胴縁１１を介して取り付けられている。また、壁パネルの表面には、現場で前記防水透湿シート１２が貼り付けられている。
【００２３】
次に、本発明に係る壁パネルの接合方法について説明する。
まず、図１に示すように、一方の壁パネル１，１に、外装材４，４を胴縁５，５を介して取り付けるとともに、受部材３を外装材４，４より外側に突出させて固定しておく。
また、受部材３の周囲には、止水プレート６，６が固定されており、この止水プレート６の一部は受部材３と外装材４との間の隙間Ｓから外側に延出してプレート延出部６ａとされ、このプレート延出部６ａは受部材３より外側に突出している。なお、図５に示すように、プレート延出部６ａ，６ａの上端は連結されており、下端は開放されている。
【００２４】
さらに、一方の壁パネル１，１の表面には防水透湿シート８，８が設けられており、この防水透湿シート８，８の一部は止水プレート６，６の内面に沿いプレート延出部６ａより外側に延出してシート延出部８ａとされている。
上記のような一方の壁パネル１，１、受部材３、外装材４，４、胴縁５、止水プレート６、防水透湿シート８は全て予め工場で組み立てられたうえで、現場に搬送される。このような壁パネル１，１はバルコニーの手摺壁が接合される外壁を構成する。
【００２５】
次に、図２に示すように、外装材４、受部材３等が取り付けられた一方の壁パネル１を建て込んだ後、他方の壁パネル２を建て込むとともに受部材３に接合する。
この場合、図３に示すように、壁パネル２の框材２ａと面材２ｂ，２ｂの側端面とを受部材３の表面に当接するとともに接着剤で接着したうえで、面材２ｂ，２ｂの表面から框材２ａを通して受部材３に釘９，９を斜めに打ち込むことによって、受部材３の先端部に他方の壁パネル２を接合する。なお、他方の壁パネル２はバルコニーの手摺壁を構成する。
【００２６】
そして、プレート延出部６ａ，６ａを他方の壁パネル２の表面に密着し、さらに、シート延出部８ａ，８ａを、他方の壁パネルの表面に張り付けられた防水透湿シート１２に重ね合わせたうえで、プレート延出部６ａ，６ａの先端部と防水透湿シート１２，１２の先端部とを防水接着テープ１３，１３によって接着する。このようにして、受部材３と壁パネル２との接合部における防水処理を行う。
なお、防水透湿シート１２，１２は、壁パネル２を受部材３に接合した後、現場で該壁パネル２の表面に貼付する。
【００２７】
最後に、図４に示すように、壁パネル２の表面に胴縁１１，１１を介して外装材１０，１０を取り付ける。なお、この外装材１０の端部と、壁パネル１の表面に取り付けられている外装材の端部との接合部は適宜防水処理を行う。
【００２８】
本実施の形態によれば、一方の壁パネル１に、他方の壁パネル２を接合すべき部分に受部材３が一方の壁パネル１に取り付けられた外装材４より外側に突出させて固定され、この受部材３の先端部に他方の壁パネル２が接合されるので、一方の壁パネル１に未艤装領域を設けなくても、他方の壁パネル２を一方の壁パネル１に受部材３を介して容易に接合できる。
したがって、一方の壁パネル１に外装材の未艤装領域を無くし、現場での外装材取付け作業を省略できる。
また、受部材３が他方の壁パネル２を一方の壁パネル１に接合する際の位置決め部材としても機能するので、他方の壁パネル２の接合の際の位置決めを容易に行える。
【００２９】
また、止水プレート６の一部が受部材３と外装材４との間の隙間Ｓから外側に延出してプレート延出部６ａとされ、このプレート延出部６ａが他方の壁パネル２の表面に密着されるので、受部材３と他方の壁パネル２との接合部における防水処理を容易に行える。
また、止水プレート６は一方の壁パネル１に予め固定されており、プレート延出部６ａが外側に延出しているので、別途止水プレートを容易しなくても防水処理を行える。
【００３０】
さらに、一方の壁パネル１から延出するシート延出部８ａを、他方の壁パネル２の表面に張り付けられた防水透湿シート１２に重ね合わせるので、防水透湿シート８，１２が一方の壁パネル１の表面から他方の壁パネル２の表面まで連続することになり、壁パネル１，２どうしの接合部近傍の防水性、透湿性を確保できる。
【００３１】
なお、本実施の形態では、本発明に係る壁パネルの接合構造および接合方法を、バルコニーの手摺壁を、外壁に直角に接合する場合を例にとって説明したが、本発明は、これに限ることなく、外壁に壁が直角に接合されるものであれば適用できる。
【図面の簡単な説明】
【００３２】
【図１】本発明に係る壁パネルの接合方法を説明するためのもので、一方の壁パネルを建て込んだ状態を示す平断面図である。
【図２】同、一方の壁パネルに他方の壁パネルを接合した状態を示す平断面図である。
【図３】同、一方の壁パネルから延出するシート延出部を他方の壁パネルの防水透水シートに重ね合わせた状態を示す平断面図である。
【図４】同、他方の壁パネルに外装材を取り付けた状態を示す平断面図である。
【図５】同、同、一方の壁パネルに他方の壁パネルを接合している状態を示す斜視図である。
【符号の説明】
【００３３】
１  一方の壁パネル
２  他方の壁パネル
３  受部材
４  外装材
６  止水プレート
６ａ  プレート延出部
８  防水止透湿シート
８ａ  シート延出部
１０  外装材
１２  防水透湿シート
【図１】
2009030238.tif 000003
【図２】
2009030238.tif 000004
【図３】
2009030238.tif 000005
【図４】
2009030238.tif 000006
【図５】
2009030238.tif 000007